(57)【特許請求の範囲】
【請求項１】
複数の遊技機が群を成して形成された遊技機島であって、
遊技機の設置位置よりも低位置には、所定の領域に、遊技機の正面側から背面側に沿った方向に形成された外部島下空間が設けられ、
外部島下空間内には、一部又は全部が外部と隔離され、電源線及び／又は信号線が配線される配線空間が設けられており、
外部島下空間の前記配線空間の上方部分は、遊技機の正面側で遊技機島の外部と連通しており、
前記配線空間は、配線空間形成部材によって形成されており、
配線空間形成部材は、遊技機の正面の位置から背面側に向かって所定距離離れた位置であって、前記外部島下空間の底部に設置されており、
前記配線空間形成部材は、フットレストとして機能することを特徴とする遊技機島。
【請求項２】
遊技媒体が搬送される搬送路として、遊技機の設置位置よりも低位置に配されたアウトレールがあり、
前記外部島下空間は、
アウトレールの設置位置よりも低位置の領域に形成された第一空間と、
アウトレールの設置位置よりも高位置で且つ遊技機の設置位置の高さより低位置の領域に形成された第二空間とで、遊技機の正面側から背面側へ向かう方向に段状にされており、
前記第二空間は、遊技機の正面側で遊技機島の外部と連通していることを特徴とする請求項１に記載の遊技機島。
【請求項３】
前記配線空間形成部材は、所定の角度で形成された傾斜部を有し、
傾斜部は、前記外部島下空間の底部に設置した状態において、遊技機の正面側から背面側に沿った方向に上り勾配であることを特徴とする請求項１又は２に記載の遊技機島。
【請求項４】
各遊技機に対応する位置に遊技媒体を計数可能な計数装置が設置され、遊技者が獲得した遊技媒体を前記計数装置を介して、遊技機島内部に戻し、内部循環させる各台計数システムを備えていることを特徴とする請求項１〜３のいずれかに記載の遊技機島。
【請求項５】
請求項１〜４のいずれかに記載の遊技機島が複数設置されていることを特徴とする遊技場の構造。
【発明の詳細な説明】
【技術分野】
【０００１】
本発明は、複数の遊技機が群を成して形成された遊技機島に関するものであり、さらにその遊技機島が複数設置されて形成された遊技場の構造に関する。
【背景技術】
【０００２】
ぱちんこ機やスロット機等の遊技機が設置された遊技場は、一般的に、複数の遊技機が並列状に並べられて群を成した遊技機群（所謂遊技機島）により形成されている。そして、この遊技機島は、各遊技機に対応する位置に遊技者が着座する椅子が設けられた構成とされている。すなわち、この種の遊技場では、遊技者は所望の遊技機を遊技するために、その遊技機に対応する椅子に着座し、その状態で遊技を行うことができる。
【０００３】
ところで、一般的な遊技場では、一人でも多くの人に遊技を楽しんで頂くべく、遊技者一人当たりの専有スペースが必要最小限に設定されている。具体的には、遊技場では、並列に並べられた遊技機同士の間隔や、遊技機とそれに対応する位置に配された椅子との間隔等が、標準的体格の者が何とか着座し得る程度のスペースに設定されている。そのため、このような構成の遊技場においては、図１５に示すように、遊技者によっては、椅子１０２に着座した際に、脚部が遊技機島１０１側に押し付けられて、窮屈な姿勢を強いられる場合があった。
【０００４】
そこで、特許文献１には、そのような問題を解決するべく、遊技機島の下方、つまり遊技機の設置位置よりも低位置に、足入れ空間を形成した遊技機島の技術が開示されている。これにより、体格が大きい遊技者であっても、足入れ空間に脚部を伸ばすことができるため、遊技者は楽な姿勢で遊技を楽しむことができる。
【先行技術文献】
【特許文献】
【０００５】
【特許文献１】特開２００７−１８１５２３号公報
【発明の概要】
【発明が解決しようとする課題】
【０００６】
しかしながら、特許文献１の遊技機島は、単に、遊技機島の下部に足入れ空間を形成しただけであるため、遊技機島内部の機器等の設置スペースが大幅に減少してしまう不満があった。特に、遊技機島は、遊技機を含めた電気機器や球の搬送路等がそのスペースの殆どを占めるため、電源線や信号線（以下、信号線等という）の配線スペースを確保することが困難であった。
【０００７】
このため、従来技術では、遊技機島の上部に残った内部空間（以下、残内部空間という）に、無理矢理、配線スペースを形成していたため、その配線スペースはごく狭小なものになり、信号線等の配線作業を非効率なものとしていた。また、信号線等の配線後は、残内部空間はあらゆる機器等で密な状態となるため、作業空間を確保できず、遊技機島内部のメンテナンスの作業効率を著しく低下させていた。
【０００８】
そこで、本発明では、従来技術の問題点に鑑み、遊技機島の下部に足入れ空間を形成した場合であっても、信号線等の配線作業や遊技機内部のメンテナンス作業の効率を向上できる遊技機島、並びに、遊技場の構造を提供することを課題とする。
【課題を解決するための手段】
【０００９】
上記課題を解決するべく提供される請求項１に記載の発明は、複数の遊技機が群を成して形成された遊技機島であって、遊技機の設置位置よりも低位置には、所定の領域に、遊技機の正面側から背面側に沿った方向に形成された外部島下空間が設けられ、外部島下空間内には、一部又は全部が外部と隔離され、電源線及び／又は信号線が配線される配線空間が設けられており、外部島下空間の前記配線空間の上方部分は、遊技機の正面側で遊技機島の外部と連通しており、前記配線空間は、配線空間形成部材によって形成されており、配線空間形成部材は、遊技機の正面の位置から背面側に向かって所定距離離れた位置であって、前記外部島下空間の底部に設置されており、前記配線空間形成部材は、フットレストとして機能することを特徴とする遊技機島である。
すなわち、本発明は、複数の遊技機が群を成して形成された遊技機島であって、遊技機の設置位置よりも低位置には、所定の領域に、遊技機の正面側から背面側に沿った方向に形成された外部島下空間が設けられ、外部島下空間には、一部又は全部が外部と隔離され、電源線及び／又は信号線が配線される配線空間が設けられていることを特徴とする遊技機島である。
【００１０】
本発明の遊技機島は、遊技機の設置位置よりも低位置の所定の領域に、遊技機の正面側から背面側に沿った方向に形成された外部島下空間が設けられた構成とされている。
ここで、遊技者が、椅子に着座して楽な姿勢をとった場合、その遊技者の脚部は外部島下空間に配され、膝下が膝よりも前進した姿勢となる。すなわち、このときの遊技者の脚部は、膝から足（くるぶし以下の部位）までが、遊技機の正面側から背面側に向かって、下り勾配に傾斜した傾倒姿勢（以下、脚の傾倒姿勢という）となる。一方、遊技者の体格によって差はあるが、外部島下空間に配された膝上は、所定の位置以上遊技機の背面側に位置することは殆どない。したがって、外部島下空間における膝上に要する正味の領域は、膝下に要する領域よりも小さくて済む。
また、遊技者の脚部を別の視点から観察すると、遊技者が着座姿勢で膝下を伸ばした場合、足はかかとを基点として、つま先側を上方側（床面から離反する方向）に回動した姿勢（以下、足の離反姿勢という）となる。すなわち、外部島下空間の膝下が位置する領域であっても、足の機能によって、その領域の全てを十分に利用できている訳ではなかった。
以上からすれば、遊技機島の下部に形成した外部島下空間には、遊技者が楽な姿勢をとった場合であっても、実質的に脚部のいずれの部位も位置することがない領域があった。
【００１１】
そこで、本発明では、外部島下空間に、電源線や信号線が配線できる配線空間を設けた構成としている。すなわち、外部島下空間であって、実質的に脚部が位置し得ない前記したような領域に配線空間を設ければ、遊技者が干渉することがない配線空間を用意することができる。
このように、本発明によれば、遊技機島の下部に外部島下空間を形成した場合であっても、遊技者の脚部が干渉することがない領域に、配線空間を設けることができるため、遊技者に窮屈な姿勢を強いることがない上、配線作業及び遊技機島内部のメンテナンス作業の効率化を図ることができる。
【００１２】
また、かかる構成によれば、配線空間は配線空間形成部材によって形成され、その配線空間形成部材は、外部島下空間であって、遊技機の正面の位置から背面側に向かって所定距離離れた位置、例えば着座姿勢の遊技者が脚部を伸ばした際に離反姿勢の足が届くか届かない程度の位置に設置することができるため、外部島下空間内に配線空間を配置するか否かに関わらず、遊技者は脚部を楽な姿勢にすることができる。このように、本発明によれば、配線空間形成部材を、外部島下空間内の遊技者の邪魔にならない位置に設置できるため、いかなる遊技者も、窮屈感を感じながら遊技を行うことはない。
【００１３】
請求項２に記載の発明は、遊技媒体が搬送される搬送路として、遊技機の設置位置よりも低位置に配されたアウトレールがあり、前記外部島下空間は、アウトレールの設置位置よりも低位置の領域に形成された第一空間と、アウトレールの設置位置よりも高位置で且つ遊技機の設置位置の高さより低位置の領域に形成された第二空間とで、遊技機の正面側から背面側へ向かう方向に段状にされており、前記第二空間は、遊技機の正面側で遊技機島の外部と連通していることを特徴とする請求項１に記載の遊技機島である。
【００１４】
請求項３に記載の発明は、前記配線空間形成部材は、所定の角度で形成された傾斜部を有し、傾斜部は、前記外部島下空間の底部に設置した状態において、遊技機の正面側から背面側に沿った方向に上り勾配であることを特徴とする請求項１又は２に記載の遊技機島である。
【００１５】
また、かかる構成によれば、外部島下空間の底部に設置した配線空間形成部材は、その設置した状態において、傾斜部が遊技機の正面側から背面側に沿った方向に上り勾配を呈するため、遊技者が着座姿勢で脚部を伸ばした際に、離反姿勢の足を置くことができる。すなわち、本発明によれば、傾斜部をフットレストとして機能させることができる。これによって、遊技者に対して、より快適な遊技環境を提供することができる。
【００１６】
ここで、遊技者が各遊技機が設置された場所において、獲得した遊技媒体を計数することができる各台計数システムが普及している。このシステムによれば、遊技者が獲得した遊技媒体を、貯留箱等に貯留する必要がないため、大当たり等によって多量の遊技媒体が遊技機島内部から吐き出されたとしても、間もなくすれば、その遊技媒体は遊技機島内に戻される。すなわち、各台計数システムを備えた遊技機島は、旧来よりある貯留箱等に遊技媒体を貯留するシステムを備えた遊技機島よりも、島内部に保有するべき遊技媒体の絶対量を少なくすることができる。そのため、通常、この各台計数システムを備えた遊技機島では、遊技機の設置位置よりも低位置に配される島下タンクの容量が小さく設定されている。
また、島下タンクは、床面に据え付けられる構成であるため、島下タンクが位置する場所に外部島下空間を形成することは物理的に困難である。
このような事情に鑑みれば、各台計数システムを備えた遊技機島は、旧来のシステムを備えた遊技機島よりも、広い範囲で、外部島下空間を設けることができる。
そこで、請求項４に記載の発明は、各遊技機に対応する位置に遊技媒体を計数可能な計数装置が設置され、遊技者が獲得した遊技媒体を前記計数装置を介して、遊技機島内部に戻し、内部循環させる各台計数システムを備えていることを特徴とする請求項１〜３のいずれかに記載の遊技機島とした。
【００１７】
かかる構成によれば、外部島下空間を、遊技機島の下部の広範囲に渡って形成することができるため、着座する椅子の位置によって、外部島下空間がなく窮屈な姿勢が強いられる、というような不満が生じることはない。
【００１８】
請求項５に記載の発明は、請求項１〜４のいずれかに記載の遊技機島が複数設置されていることを特徴とする遊技場の構造である。
【００１９】
本発明の遊技場の構造は、いずれの遊技機島においても、外部島下空間と配線空間が設けられているため、遊技者に無理な姿勢を強いることがない上、電源線や信号線の配線作業や遊技機内部のメンテナンス作業の効率化を図ることができる。
【発明の効果】
【００２０】
本発明の遊技機島、並びに、遊技場の構造は、遊技機の設置位置よりも低位置に外部島下空間を設け、その外部島下空間に配線空間を設けたため、遊技者に無理な姿勢を強いることがない上、遊技機島における配線作業及びメンテナンス作業の効率化を図ることができる。
【図面の簡単な説明】
【００２１】
【図１】本発明の実施形態に係る遊技場の構造を示す斜視図である。
【図２】図１の遊技機島本体を示す斜視図である。
【図３】図２の遊技機島本体を示す正面図であり、内部に配された部材及び機器の位置関係を示している。
【図４】図２の遊技機島本体を示す断面図である。
【図５】配線空間形成部材を示す斜視図である。
【図６】図５の配線空間形成部材を示す断面図である。
【図７】遊技者が椅子に深く着座した際の姿勢を示す説明図である。
【図８】遊技者が図７の状態から脚部を伸ばした姿勢を示す説明図である。
【図９】遊技者が図７の状態から脚部を伸ばした際の上下方向の可動範囲を示す説明図である。
【図１０】遊技者は椅子に浅く着座した際の姿勢を示す説明図である。
【図１１】遊技者が図１０の状態から脚部を伸ばした姿勢を示す説明図である。
【図１２】遊技者が図１０の状態から脚部を伸ばした際の上下方向の可動範囲を示す説明図である。
【図１３】配線空間形成部材の変形例を示す断面図である。
【図１４】（ａ）、（ｂ）は、配線空間形成部材の別の変形例を示す断面図である。
【図１５】従来の遊技機島であって、椅子に着座した状態の遊技者の姿勢を概念的に示す説明図である。
【発明を実施するための形態】
【００２２】
以下に、本発明の実施形態に係る遊技場の構造について説明する。
本実施形態の遊技場の構造は、複数の公知の弾球遊技機（以下、ぱちんこ機という）３０が２列（図１では、正面側の１列のみを示し、背面側の図示は省略している。）の群を成して形成された遊技機島１が複数設置されて形成されている。具体的には、本実施形態の遊技機島１は、ぱちんこ機３０の他、各ぱちんこ機３０ごとに遊技者が保有する遊技球（以下、単に球という）を計数可能な公知の各台計数機３１を有した遊技機島本体２と、その遊技機島本体２の各ぱちんこ機３０に対応する位置に１台ずつ配された椅子３２とで構成されている。すなわち、本実施形態の遊技機島１は、椅子３２に座りながら、獲得した球を計数可能な公知の各台計数システムを備えた構成である。
なお、本実施形態では、いずれの遊技機島１も同様の構成であるため、以下においては、１つの遊技機島１に注目して説明する。
【００２３】
遊技機島本体２は、図２に示すように、ほぼ直方体状の箱形構造物たる島構造体３３を有し、その島構造体３３によって、ぱちんこ機３０や各台計数機３１を設置するための骨組み等が形成されている。すなわち、島構造体３３は、図４に示すように、骨部材たる柱部材（図示しない）及び梁部材３４と、それらによって形成された骨組みを囲むように配された壁面形成部材たる化粧部材３５とを備えた構成である。
そして、ぱちんこ機３０が、この島構造体３３の高さ方向ほぼ中央に位置するように取り付けられ、さらに各台計数機３１の一部たる箱型貯留部３６が、そのぱちんこ機３０の高さ方向下端近傍に位置するように設置されている。
【００２４】
また、遊技機島本体２には、主にぱちんこ機３０と化粧部材３５とで囲繞された内部空間３７が形成されており、ぱちんこ機３０を円滑に稼働するための部材や機器等が配置されている。具体的には、遊技機島本体２の内部には、図３に示すように、球が搬送される搬送路４０と、球を一時的に貯留する島タンク４１と、球を研磨する研磨装置４２や球を揚送する揚送装置４３等が設けられている。
【００２５】
搬送路４０には、大別して、遊技機島本体２の長手方向、つまりぱちんこ機３０の並設方向に延伸した横搬送路４５と、遊技機島本体２の高さ方向に延伸した縦搬送路４６とがある。
横搬送路４５には、ぱちんこ機３０の設置位置よりも高位置に配された補給レール４７及びオーバーフローレール４８と、ぱちんこ機３０の設置位置よりも低位置に配されたアウトレール５０がある。また、縦搬送路４６には、遊技機島本体２の長手方向端部側に配されて島下タンク５５、５６に球を導入する球抜き流路５１及びオーバーフロー流路５２と、各ぱちんこ機３０に対応する位置に配された補給シート（図示しない）と、各ぱちんこ機３０から排出されるアウト球をアウトレール５０に排出する排出流路（図示しない）と、球を島上タンク５７に向けて上方に搬送する揚送流路５３とがある。
【００２６】
島タンク４１は、ぱちんこ機３０の設置位置よりも低位置に配された２つの島下タンク５５、５６と、ぱちんこ機３０の設置位置よりも高位置に配された１つの島上タンク５７とがある。
島下タンク５５、５６は、通常のタンク容量よりも縮小された各台計数システム仕様のものが採用されている。具体的には、本実施形態における島下タンク５５、５６は、前記通常のタンク容量よりも１／３〜１／２倍程度の大きさとされている。また、この島下タンク５５、５６は、遊技機島本体２の長手方向端部側であって、その端部側に位置するぱちんこ機３０の下方に設置されている。そして、島下タンク５５、５６は、その長手方向に占める長さが、１つのぱちんこ機３０の幅（ぱちんこ機３０の並設方向長さ）と同程度の大きさとされている。
島上タンク５７は、従来と同様の容量のものが採用されており、遊技機島本体２のほぼ中央の位置に設置されている。
【００２７】
研磨装置４２は、公知のそれと同様のもので、球に付着した汚れを除去し、磨き上げる装置である。また、研磨装置４２は、ぱちんこ機３０の設置位置よりも低位置であって、遊技機島本体２の長手方向ほぼ中央、具体的には遊技機島本体２の中央に設けられた１つのぱちんこ機（中央左側のぱちんこ機）３０の下方に設置されている。
【００２８】
また、揚送装置４３は、公知のそれと同様のもので、縦搬送路２１たる揚送流路５３と接続されて、遊技機島本体２の上方に配された島上タンク５７に向けて球を搬送する装置である。すなわち、揚送装置４３は、遊技機島本体２の中央であって、研磨装置４２よりも下流側（研磨装置４２よりも右側）に設置され、研磨された球を上方に向けて送り出す装置である。
【００２９】
また、本実施形態における遊技機島本体２は、遊技者に遊技時の快適性を提供するべく、遊技者の脚部を十分に伸ばせる外部島下空間５が設けられている。
すなわち、外部島下空間５は、ぱちんこ機３０の設置位置よりも低位置に位置し、遊技機島本体２の内部方向、つまりぱちんこ機３０の正面側から背面側に沿った方向（遊技機島本体２の幅方向）に開口して、遊技場の遊技者が存在する空間（外部）と連通した掘込み型空間である。より具体的には、本実施形態では、外部島下空間５は、図４に示すように、遊技場の底部（あるいは外部島下空間５の底部）から所定の高さＨまでの領域で、具体的には前記底部から４２０〜４４０ｍｍの高さまでの領域、好ましくは４２０ｍｍまでの領域に形成された空間である。
【００３０】
また、外部島下空間５の内部側においては、図４に示すように、遊技機島本体２の幅方向に段状にされている。すなわち、外部島下空間５は、遊技機島本体２の幅方向中央の位置で鉛直方向に伸ばした仮想線Ｖを基準に、外部から仮想線Ｖに至る深掘り部１０と、外部から仮想線Ｖまで至らない浅掘り部１１を有する。そして、この外部島下空間５においては、深掘り部１０が、浅掘り部１１よりも低位置となる配置にされている。
【００３１】
具体的に説明すると、深掘り部１０は、アウトレール５０の設置位置よりも低位置の領域に形成された空間であり、浅掘り部１１は、アウトレール５０の設置位置よりも高位置以上、ぱちんこ機３０の設置位置の高さより低位置の領域に形成された空間である。より詳細には、深掘り部１０は、高さ方向下端を遊技場の底部（あるいは外部島下空間５の底部）とし、上端を前記底部から高さｈｌ１７０〜３５０ｍｍの位置とした領域であり、浅掘り部１１は、高さ方向下端を前記深堀り部１０の上端とし、上端を外部島下空間５の上端、つまり遊技場の底部（あるいは外部島下空間５の底部）から４２０〜４３０ｍｍの高さＨの位置とした領域である。
なお、深掘り部１０の上端は、遊技機島本体２の高さに応じて変更されるもので、遊技機島本体の高さが１９００ｍｍ程度（通常の島の高さ）であれば遊技場の底部からの高さｈｌは１９０ｍｍが好ましく、遊技機島本体の高さが１７００ｍｍ程度（所謂ＬＯＷ島の高さ）であれば遊技場の底部からの高さｈｌは３３０ｍｍが好ましい。
【００３２】
また、本実施形態では、外部島下空間５の底部において、特徴的構成たる配線空間形成部材６が設けられている。
配線空間形成部材６は、図５に示すように、内部に配線空間１３を有した帯状に延びた筒状部材であり、ケース本体部７と、蓋部８とで構成されている。
【００３３】
ケース本体部７は、断面形状がほぼ六角形を呈しており、一面の一部が開放されている。具体的には、図６に示すように、ケース本体部７は、外部島下空間５の底部（設置面）と平行になる天面部１５を有し、その天面部１５の短手方向中央を通過する鉛直仮想線Ｆを基準に、鏡像の形状である。すなわち、ケース本体部７は、天面部１５と、天面部１５の短手方向の端部から当該端部と離反する方向に下り勾配の傾斜部１６と、傾斜部１６の下端部から天面部１５に対してほぼ垂直になるように延びた垂直部１７と、垂直部１７の下端部から天面部１５とほぼ平行になるように片持ち状に延びた片持ち梁部１８とで構成されている。なお、片持ち梁部１８の張り出し側端部は、自由端である。そして、その片持ち梁部１８の自由端同士の間が開放された部分である。
また、傾斜部１６は、前記設置面を基準に、所定の角度θに傾斜するように設定されている。すなわち、本実施形態では、傾斜部１６の角度θが、前記設置面を基準に、２０〜４５度程度、好ましくは２０度の角度に設定されている。
【００３４】
蓋部８は、断面形状がほぼ「Ｈ」字型を呈しており、ケース本体部７の内部側に位置する内側平面部１９と、ケース本体部７の外側に位置する外側平面部２０と、その内側平面部１９と外側平面部２０との間に位置する係合溝２３とで構成されている。そして、蓋部８には、厚み方向に貫通したネジ等が挿通される固定用孔（図示しない）が長手方向に沿って複数設けられている。
したがって、ケース本体部７と蓋部８は、蓋部８の係合溝２３にケース本体部７の片持ち梁部１８を配置することで、互いに係合された状態となり、配線空間１３を形成する。すなわち、配線空間形成部材６は、配線空間１３を、ケース本体部７の内壁と、蓋部８の内側平面部１９とで囲繞して形成している。
【００３５】
続いて、外部島下空間５における配線空間形成部材６の位置関係について説明する。
配線空間形成部材６は、外部島下空間５の底部に固定されている。具体的には、配線空間形成部材６は、図４に示すように、天面部１５の短手方向中央が、仮想線Ｖにほぼ重なる位置に配されて、ネジ等の締結要素や両面テープ等の接着手段を介して、前記底部に固定されている。より詳細には、配線空間形成部材６は、深掘り部１０側であって、遊技機島本体２の幅方向ほぼ中央に配され、配線空間形成部材６の傾斜部１６が外部に向かって下り勾配となるような配置で固定されている。そして、配線空間形成部材６は、長手方向端部が遊技機島本体２の内部空間３７と連通するように島構造体３３に接続されている。
【００３６】
次に、本実施形態の遊技機島１の機能について説明する。
本実施形態の遊技機島１は、外部島下空間５及び配線空間１３を設けることによって、作業者及び遊技者に対して好適に働く機能を有する。
すなわち、本実施形態では、配線空間１３を設けることで、作業者の配線作業及びメンテナンス作業の効率を向上させることができ、外部島下空間５及び配線空間１３の双方を設けることで、遊技者に質の高い快適環境を提供することができる。以下に、順番に説明する。
【００３７】
（作業者に好適な機能）
本実施形態では、上述したように、遊技機島本体２の内部空間３７から逸脱した外部島下空間５に、配線空間１３を配置している。すなわち、遊技機島１は、遊技機島本体２を構成する電気機器の電源線や信号線を内部空間３７ではない、配線専用の配線空間１３に配することができる機能を有する。これにより、各電源線や信号線の配線作業が容易となるため、配線の作業効率を向上させることができる。また、これに伴って、遊技機島本体２の内部空間３７がすっきりするため、遊技機島本体２内部に設置された電気機器や球の搬送路４０等のメンテナンス作業を行い易くなり、メンテナンスの作業効率も向上させることができる。
【００３８】
（遊技者に好適な機能）
本実施形態では、上述したように、遊技機島本体２の高さ方向低位置に遊技機島本体２の内部に向けて掘り込んだ外部島下空間５を有し、その外部島下空間５内に配線空間形成部材６を配置している。すなわち、遊技機島１は、遊技者に無理な姿勢を強いることがない、快適な遊技環境を提供することができる機能を有する。
【００３９】
例えば、図７に示すように、遊技者が椅子３２に深く着座した状態においては、その遊技者の脚部は、外部島下空間５によって、化粧部材３５たる腰板や幅木等に圧迫され、窮屈な姿勢を強いられることがない。
【００４０】
また、図８に示すように、遊技者は、外部島下空間５がぱちんこ機３０の正面側から背面側に沿って掘り込まれているため、脚部を十分に伸ばすことが可能である。さらに、外部島下空間５の底部であって、遊技機島本体２の幅方向中央の位置に、傾斜部１６が外部に向かって下り勾配となるように配線空間形成部材６を固定したため、伸ばした脚部の足（くるぶし以下の部位）を程よい姿勢で休ませることができる。
【００４１】
さらに、図９に示すように、図８に示す姿勢から、脚部を上下に動かしても、所定の範囲Ｓ内であれば、脚部の動作が制限されることはないため、着座姿勢を変更する場合でも楽に姿勢変更を行うことができる。
【００４２】
また、図１０に示すように、遊技者が椅子３２に浅く着座した状態においても、前記した姿勢と同様、外部島下空間５によって、化粧部材３５たる腰板や幅木等に圧迫され、窮屈な姿勢を強いられることがない。
【００４３】
そして、図１１に示すように、図１０に示す姿勢からであっても、脚部を十分に伸ばすことができると共に、伸ばした脚部の足を傾斜部１６に程よい姿勢で休ませることができる。
また、図１２に示すように、図１１に示す姿勢から、脚部を上下に動かしても、所定の範囲ｓ内であれば、脚部の動作が制限されることはないため、着座姿勢を変更する場合でも楽に姿勢変更を行うことができる。
【００４４】
以上のように、本実施形態では、遊技機島本体２の下部に、外部島下空間５及び配線空間形成部材６を設けることで、配線作業及びメンテナンス作業の効率化を可能とし、さらに遊技者に対して、質の高い快適環境の提供を可能としている。
【００４５】
上記実施形態では、２列のぱちんこ機３０が群を成して遊技機島１を形成した構成を示したが、本発明はこれに限定されず、ぱちんこ機３０が１列のみで遊技機島を形成した構成であっても構わない。この場合、遊技機島を構成する電気機器等の電源線や信号線の数がほぼ半減するため、図１３に示すように、外部島下空間に設置する配線空間２６の大きさも上記実施形態の配線空間１３の半分程度の大きさとすることが望ましい。そうすることで、配線空間形成部材２５の傾斜部２７が外部側に出過ぎることが防止できるため、上記実施形態と同様の作用効果が期待できる。
【００４６】
上記実施形態では、配線空間形成部材６がほぼ六角形を呈する構成を示したが、本発明はこれに限定されず、図１４に示すように、断面形状がほぼ楕円の曲線状の配線空間形成部材２８であったり、三角形の配線空間形成部材２９であっても構わない。
【００４７】
上記実施形態では、島下タンク５５、５６の存在によって、外部島下空間５が形成できない位置にも、ぱちんこ機３０を設置する遊技機島１の構成を示したが、本発明はこれに限定されず、島下タンク５５、５６の存在する位置に、ぱちんこ機３０を設置しない構成の遊技機島であっても構わない。
また、それとは逆に、遊技機島に島下タンク５５、５６を設けず、全てのぱちんこ機３０の下部に外部島下空間５を形成できる遊技機島であっても構わない。この場合、遊技機島本体の内部空間とは逸脱した場所に球を貯留するタンクを設ける構成にすることが好適である。
【００４８】
上記実施形態では、配線空間形成部材６の長手方向端部を遊技機島本体２の内部空間３７と連通するように島構造体３３と接続した構成を示したが、本発明はこれに限定されず、配線空間形成部材６の長手方向端部を遊技機島本体２の島構造体３３に接続しない構成であっても構わない。すなわち、配線空間１３に配した電源線や信号線の一部が遊技者側に露出する構成であっても構わない。
また、配線空間を配線空間形成部６で形成せず、単に配線をするためのスペースを外部島下空間５内に用意した構成であっても構わない。
【００４９】
上記実施形態では、遊技機３０を背面側で対向するように配置した２列構造の遊技機島本体２を示し、外部島下空間５がその対向方向に連通した構成を示したが、本発明はこれに限定されず、前記対向方向の中途の位置、好ましくは中央の位置において、互いに分割された外部島下空間を備えた構成であっても構わない。これにより、１つの遊技機島本体において、向き合った位置で遊技を行っている遊技者同士の脚部が、互いに干渉し合う事態を予防できるため、より快適な遊技空間を提供することができる。
【符号の説明】
【００５０】
１    遊技機島
２    遊技機島本体
５    外部島下空間
６、２５、２８、２９    配線空間形成部材
７    ケース本体部
８    蓋部
１０    深掘り部
１１    浅掘り部
１３、２６    配線空間
１６、２７    傾斜部
３０    ぱちんこ機（遊技機）
３１    各台計数機
３２    椅子
３７    内部空間
【図１】
0005959196.tif 000002
【図２】
0005959196.tif 000003
【図３】
0005959196.tif 000004
【図４】
0005959196.tif 000005
【図５】
0005959196.tif 000006
【図６】
0005959196.tif 000007
【図７】
0005959196.tif 000008
【図８】
0005959196.tif 000009
【図９】
0005959196.tif 000010
【図１０】
0005959196.tif 000011
【図１１】
0005959196.tif 000012
【図１２】
0005959196.tif 000013
【図１３】
0005959196.tif 000014
【図１４】
0005959196.tif 000015
【図１５】
0005959196.tif 000016